(57)【要約】      （修正有）【課題】使用コストが低くて、泥除け板の端部から電子警告装置の取り付け取り外しが簡単な、自転車泥除け板警告構造を提供する。【解決手段】泥除け板１０と、泥除け板の端部が下に凹んで形成された収容室１１に結合された充電式警告装置２０とからなる。充電式警告装置２０は、照明ケース２１内部に、充電電池２２と、発光体２３とを設けてなり、照明ケース頂部にはスイッチが凸設され、照明ケース側面には、内部の充電電池に電気的に接続される充電接続口２５が設けられる。照明ケース底面には、プッシュボタンと二つのガイド溝が設けられ、泥除け板収容室１１の底面には、プッシュボタン２５を位置決めするための長形係合溝１２と、二つのガイド溝を導くためのガイドリブ１４が設けられ、長形係合溝１２の内端には、プッシュボタン２５のネック部を位置決めする位置決め孔が設けられる。【選択図】図１
0003177751.tif 000002
【実用新案登録請求の範囲】
【請求項１】
泥除け板と、泥除け板の端部に取り外し可能に設けられた充電式警告装置とからなる自転車泥除け板警告構造であって、
充電式警告装置は、照明ケース内部に、充電電池と、発光体とを設けてなり、照明ケース頂部にはスイッチが凸設され、照明ケース側面には、内部の充電電池に電気的に接続される充電接続口が設けられることを特徴とする、自転車泥除け板警告構造。
【請求項２】
充電式警告装置の照明ケース底面には、プッシュボタンが凸設され、泥除け板の端面におけるプッシュボタンに対応する箇所には係合溝が設けられ、充電式警告装置は、プッシュボタンと係合溝を利用することで、泥除け板端部に取り外し可能に取り付けられることを特徴とする、請求項１に記載の自転車泥除け板警告構造。
【請求項３】
プッシュボタンには、ネック部が設けられ、泥除け板の端部は、下に凹んで、充電式警告装置を収容するための収容室を形成し、係合溝は、収容室底面中央に設けられる長形の溝であり、係合溝の外端には、プッシュボタンを通すための穿孔が貫設され、係合溝の内端には、プッシュボタンのネック部を位置決めするための位置決め孔が設けられ、係合溝の両側には、平行な二つのくりぬき溝が設けられることを特徴とする、請求項１に記載の自転車泥除け板警告構造。
【請求項４】
照明ケース底部におけるプッシュボタンの両側には、ガイド溝が設けられ、泥除け板収容室の係合溝の両側には、ガイド溝に対応するガイドリブが設けられ、ガイド溝とガイドリブは相互に嵌め込まれて充電式警告装置のスライド移動の際に位置を固定する役割を果たすことを特徴とする、請求項１から請求項３に記載の自転車泥除け板警告構造。
【請求項５】
照明ケースは、形状が対称の上ケースと下ケースを組み合わせてなるケースと、ケースの一端に結合される照明カバーとからなり、前記発光体はＬＥＤであり、充電電池はリチウム電池であり、充電接続口はＵＳＢインターフェイスであることを特徴とする、請求項１に記載の自転車泥除け板警告構造。
【考案の詳細な説明】
【技術分野】
【０００１】
本考案は、構造が簡単で、素早く取り外して充電を行うことができるだけでなく、一般の照明としても使用可能な自転車泥除け板警告構造に関する。
【背景技術】
【０００２】
台湾特許第５４０５２１号『自転車の泥除けテールランプ構造の改良』は、泥除けと、カバーと、警告ランプと、からなる。泥除けには電池溝が設けられ、泥除けテール部には、収容室が設けられ、収容室の両側は、それぞれフェンダーを備える。フェンダーにカバーを結合させると、カバー内面が警告ランプに接続され、電池により警告ランプに電力を供給することができる。
【０００３】
上述の従来技術が解決すべき課題は以下の通りである。
【０００４】
１、上述したように、自転車泥除け板に照明ランプを取り付けることで、夜の運転をしやすくし、安全性を高めることができるものの、その電源供給は、充電電池ではない一般の電池行うため、相対的にコストが高く普及しづらいのが一つ目の欠点である。
【０００５】
２、また、警告ランプは、ネジでカバーに螺合し、また、カバーを泥除けテールの収容室の両側のフェンダーに結合させると、電池溝の電池により電力を供給できる。しかし、警告ランプは、泥除けに固定されて、単一の照明しか使用できず、取り外してその他の照明を使用することができないため、使用上の制限を受けると事が、二つ目の欠点である。
【先行技術文献】
【特許文献】
【０００６】
【特許文献１】台湾特許第５４０５２１号明細書
【考案の概要】
【考案が解決しようとする課題】
【０００７】
そこで、本考案は、使用コストが低くて普及がしやすい上、泥除け板の端部から電子警告装置の取り付け取り外しが簡単な、自転車泥除け板警告構造を提供することを目的とする。
【０００８】
また、本考案は、構造が簡単で、充電式警告装置を取り外せば一般的な照明としても使用可能な、複合機能を備えた自転車泥除け板警告構造を提供することを目的とする。
【課題を解決するための手段】
【０００９】
上述の目的を達成するために、本考案による自転車泥除け板警告構造は、泥除け板と、泥除け板の端部に取り外し可能に設けられた充電式警告装置とからなる。充電式警告装置は、照明ケース内部に、充電電池と、発光体とを設けてなり、照明ケース頂部にはスイッチが凸設され、照明ケース側面には、内部の充電電池に電気的に接続される充電接続口が設けられる。それにより、電池がなくなった時に、警告装置を取り外して充電を行うことができる。
【００１０】
充電式警告装置の照明ケース底面には、プッシュボタンが凸設され、泥除け板の端面におけるプッシュボタンに対応する箇所には係合溝が設けられ、充電式警告装置は、プッシュボタンと係合溝を利用することで、泥除け板端部に取り外し可能に取り付けられる。
【００１１】
プッシュボタンには、ネック部が設けられ、泥除け板の端部は、下に凹んで、充電式警告装置を収容するための収容室を形成し、係合溝は、収容室底面中央に設けられる長形の溝であり、係合溝の外端には、プッシュボタンを通すための穿孔が貫設され、係合溝の内端には、プッシュボタンのネック部を位置決めするための位置決め孔が設けられ、係合溝の両側には、平行な二つのくりぬき溝が設けられる。
【００１２】
照明ケース底部におけるプッシュボタンの両側には、ガイド溝が設けられ、泥除け板収容室の係合溝の両側には、ガイド溝に対応するガイドリブが設けられ、ガイド溝とガイドリブは相互に嵌め込まれて充電式警告装置のスライド移動の際に位置を固定する役割を果たす。
【００１３】
照明ケースは、形状が対称の上ケースと下ケースを組み合わせてなるケースと、ケースの一端に結合される照明カバーとからなり、前記発光体はＬＥＤであり、充電電池はリチウム電池であり、充電接続口はＵＳＢインターフェイスである。
【図面の簡単な説明】
【００１４】
【図１】本考案の分解斜視図である。
【図２】本考案を半分組み立てた状態を示した斜視図である。
【図３】本考案を半分組み立てた状態の裏面を示した斜視図である。
【図４】本考案の充電式警告装置と泥除け板を組み合わせた状態を横から見た断面図である。
【図５】本考案の充電式警告装置と泥除け板の組合せを示した断面図である。
【図６】本考案の充電式警告装置のプッシュボタンと泥除け板の係合溝の組合せを示した説明図である。
【図７】本考案の組み立てた状態を示した斜視図である。
【考案を実施するための形態】
【００１５】
図１から図４に示すように、本考案は、泥除け板１０と、泥除け板１０端部に取り付けられる充電式警告装置２０とからなる。
【００１６】
泥除け板１０の一端部は、下に凹んで、充電式警告装置２０を収容するための収容室１１を形成する。収容室１１の底面中央には、長形の係合溝１２が設けられ、係合溝１２内端には、プッシュボタン２６のネック２６１を位置決めする位置決め孔１２１が設けられ、係合溝１２外端には、プッシュボタン２６を通すための穿孔１２２が貫設される。係合溝１２両側には、平行のくりぬき溝１３が設けられ、それにより、照明ケース２１のプッシュボタン２６を係合溝１２末端の位置決め孔１２１内に位置決めやすくなる。二つのくりぬき溝１３の外側には、二つのガイドリブ１４が凸設される。
【００１７】
充電式警告装置２０は、照明ケース２１を備え、照明ケース２１内部には、充電電池２２（リチウム電池）と、発光体２３（ＬＥＤ）とが設けられ、照明ケース２１頂部には、スイッチ２４が凸設される。照明ケース２１側面には、内部充電電池２２と電気的に接続される充電接続口２５（ＵＳＢインターフェイス）が設けられ、底面の中央には、ネック部２６１を備えるプッシュボタン２６が凸設され、プッシュボタン２６の両側には、ガイドリブ１４に対応する二つのガイド溝２７が平行に設けられる。前述した照明ケース２１は、形状が対称の上、下ケース２１１を組み合わせたケースと、照明カバー２１２とからなる。照明カバー２１２は、開口端に設けられた係合孔（図示せず）を、上下ケース２１１を組み合わせたケースの開口端の係合部（図示せず）に係合することで、結合される。
【００１８】
図４と図５に示すように、本考案は、照明ケース２１内部に発光体２３と充電電池２２を設け、照明ケース２１頂部にスイッチ２４を設け、照明ケース２１側面には充電接続口２５を設け、照明ケース２１底部には、ネック部２６１を備えるプッシュボタン２６と二つのガイド溝２７を設けることで、充電式警告装置２０が完成する。本考案による充電式警告装置２０は、照明ケース２１底面のプッシュボタン２６を、泥除け板１０の収容室１１の係合溝１２の外端の穿孔１２２に嵌め込むことで、底面の二つのガイド溝２７と収容室１１の二つのガイドリブ１４を係合させることができる。図６に示すように、プッシュボタン２６を矢印の方向に沿って押しこんだ時、係合溝１２は、両側のくりぬき溝１３により弾性変形し、プッシュボタン２６のネック部２６１が内端の位置決め孔１２１へと押しこまれて位置決めされ、それにより、充電式警告装置２０を泥除け板１０端部の収容室１１内に取り付けることができる。そして、スイッチ２４を押すと、図７に示すように、内部の各発光体２３が発光して、走行中の車に警告機能を提供することができる。
【００１９】
電池の電量がなくなった時、図６に示すように、矢印とは反対の方向に操作し、照明ケース２１底面のプッシュボタン２６を泥除け板１０の係合溝１２外端の穿孔１２２（点線で図示）から取り外すと、充電式警告装置２０を、泥除け板１０の収容室１１から取り外して充電を行うことができる。このように、全体の構造がシンプルであり、取り付け取り外しが非常にしやすく、しかも素早く行うことができるため、普及しやすくなっている。
【符号の説明】
【００２０】
１０      泥除け板            
１１      収容室                
１２      係合溝
１２１    位置決め孔              
１２２    穿孔              
１３      くりぬき溝
１４      ガイドリブ                
２０      充電式警告装置
２１      照明ケース                
２２      充電電池        
２３      発光体        
２４      スイッチ              
２１１    上、下ケース      
２１２    照明カバー
２５      充電接続口      
２６      プッシュボタン                
２６１    ネック部    
２７      ガイド溝
【図１】
0003177751.tif 000003
【図２】
0003177751.tif 000004
【図３】
0003177751.tif 000005
【図４】
0003177751.tif 000006
【図５】
0003177751.tif 000007
【図６】
0003177751.tif 000008
【図７】
0003177751.tif 000009